(57)【要約】【課題】  着脱操作が極めて容易にでき且つ使用者が容姿を自由に変化させることができる新規の長物飾体の提供及び当該長物飾体を備えた新規の服飾品並びに鞄袋物を提供する。【解決手段】  服飾品、鞄袋物等取付体に取り付けて用いるものであって、飾チェーン・飾紐等からなる長物飾体主体と、当該長物飾体主体の両端に止着された押しホックとを有し、当該押しホックを構成する雌ホック側・雄ホック側のうちの一方は上記長物飾体主体に着脱不能に止着されて着脱側ホックとして機能するようにされ、また他方はこれに上記着脱側ホックを係止状態・離脱状態にしうる状態で上記服飾品、鞄袋物等取付体に取り付ける受け側ホックとして機能するようにされたものである。【選択図】        図１
2008119063.tif 000002
【特許請求の範囲】
【請求項１】
服飾品、鞄袋物等取付体に用いるものであって、飾チェーン・飾紐等からなる長物飾体主体と、当該長物飾体主体の端に止着された押しホックとを有し、当該押しホックを構成する雌ホック側・雄ホック側のうちの一方は上記長物飾体主体に着脱不能に止着されて着脱側ホックとして機能するようにされ、また他方は上記着脱側ホックを係止・離脱にしうる状態で上記服飾品、鞄袋物等取付体に取り付ける受け側ホックとして機能するようにされたことを特徴とする押しホック付き長物飾体。
【請求項２】
上記押しホックが長物飾体主体の両端部に止着されたことを特徴とする請求項１記載の押しホック付き長物飾体。
【請求項３】
上記押しホックが長物飾体主体の一端部に止着され、同長物飾体主体の他端部には上記服飾品、鞄袋物等取付体への縫着・止金等による取付部が設けられたことを特徴とする請求項１記載の押しホック付き長物飾体。
【請求項４】
請求項１〜３記載の押しホック付き長物飾体を備えたことを特徴とする服飾品。
【請求項５】
請求項１〜３記載の押しホック付き長物飾体を備えたことを特徴とする鞄袋物。
【請求項６】
飾チェーン・飾紐等からなる長物飾体主体と、当該長物飾体主体の端に止着された押しホックとを有し、当該押しホックを構成する雌ホックは長物飾体主体の一端に止着され、また同長物飾体主体の他端には同押しホックを構成する雄ホックが上記雌ホックに係止・離脱にしうる状態で止着されたことを特徴とする押しホック付き長物飾体。
【発明の詳細な説明】
【技術分野】
【０００１】
本発明は、服飾品並びに鞄袋物等取付体に用いる、自由に曲げうる飾チェーン・飾紐等からなる押しホック付き長物飾体及び当該長物飾体を取り付けた服飾品並びに鞄袋物に関する。
【背景技術】
【０００２】
従前、上着・ズボン・スカート等衣類に飾り品として任意に取り付けて装飾性・趣向性等を表現しそれらを楽しむ類のものとしては、飾チェーン、ウォレットチェーン等が知られている（特許文献１参照）。
【０００３】
しかしながら、この種の飾チェーン、ウォーレットチェーン等は、その両端若しくは一端に掛け止め形式のナス環等留め金具を備えたものであったために、使用者がこれら留め金具を例えば任意に衣服のベルト通し環や腰ベルトに掛け止めたり外したりして使用する際には、引掛け位置や方向等を比較的長い時間に亘って目視で確かめ乍ら着脱操作を行う必要があり、使い辛さがあるという問題があった。
【０００４】
また、飾チェーンの端に小さなリリース製等の紐環を設けて当該紐環を予め襟の裏側等に隠し状態で設けてある隠しボタンに掛け止めるようにされた、恰もネックレスのように見えるようにした飾チェーンや、必要に応じて外せる状態で縫い付けた飾チェーン付きの衣服が提供されているが、これらには上記従来例と同じように着脱操作に難があるという問題があった。
【０００５】
また、上記のナス環等留め具を備えた飾チェーン、ウォーレットチェーン、飾り紐等は、その使用中において、周囲の他のものに引掛けたり、ドア等に挟んだりした状態になったときには、ナス環等留め具が外れ難い若しくは外れないために、危険な事態を惹起する懸念があり、これが原因で大事故に至った例も決して少なくないというような問題があった。
【０００６】
本発明者は、上記のような問題点を解消するには、着脱操作が比較的容易で扱い易い、また雌孔に有する銜止バネの銜え力より大きな引っ張り力を受けたときには自動的に外れる等の利点を有する押しホック（スナップ）を使用することが極めて有効であることを見出し、試行錯誤の末、本発明を提供するに至ったものである。
【特許文献１】登録実用新案第３１０６９８３号公報
【発明の開示】
【発明が解決しようとする課題】
【０００７】
本発明は、前記のような諸問題点を解決するために案出した新規の押しホック付き長物飾体及びこれを取り付けた服飾品並びに鞄袋物を提供することを目的とする。
【課題を解決するための手段】
【０００８】
上記目的を達成するために、請求項１に係る押しホック付き長物飾体は、服飾品、鞄袋物等取付体に用いるものであって、飾チェーン・飾紐等からなる長物飾体主体と、当該長物飾体主体の端に止着された押しホックとを有し、当該押しホックを構成する雌ホック側・雄ホック側のうちの一方は上記長物飾体主体に着脱不能に止着されて着脱側ホックとして機能するようにされ、また他方はこれに上記着脱側ホックを係止・離脱にしうる状態で上記服飾品、鞄袋物等取付体に取り付ける受け側ホックとして機能するようにされたことを特徴とする。
【０００９】
したがって、請求項１に係る押しホック付き長物飾体は、たとえば図２及び３に示すように、受け側ホックをズボン本体におけるウエスト部外面に所定の間隔をおいて止着し、これに着脱側ホックを係止状態とする要領を施してズボンを完成することができる。つまり、請求項１に係る押しホック付き長物飾体によれば、長物飾体付きのズボン等服飾品、鞄袋物を容易に提供することができる。しかも、提供を受けた当該ズボン服飾品、鞄袋物の使用者は、所謂T・P・Oに合わせて長物飾体主体を外したり戻し付けたりすることが任意にできるから便利であるのみならず別途用意した長物飾体主体に付け変えて趣向等の変化を自由に楽しむ等のことができる。特に、長物飾体主体を外す場合には、単に長物飾体主体を強く引っ張ることで、また戻し付ける場合には所謂手探りで或いは一目確認で位置を定めてから着脱側ホックを受け側ホックに強く押し付けることにより容易且つ簡単に行うことができる。
【００１０】
また、請求項２に係る押しホック付き長物飾体は、長物飾体主体の両端部に押しホックが止着されたことを特徴とする。
【００１１】
したがって、請求項２に係る押しホック付き長物飾体は、長物飾体主体の両端の着脱側ホックを外して当該長物飾体主体を別途用意した長物飾体主体に付け替えることや、元々着けられていた長物飾体主体における一方の着脱側ホックを外して長物飾体主体を他方の着脱側ホックから垂れ提げた状態にしたり、一方の着脱側ホックを外したことで空き状態になった受け側ホックに別途用意した他の長物飾体主体における受け側ホックを強く押し付け嵌めて垂れ提げた状態にしたりすることができる、つまり複数本の長物飾体主体を取り付けた格好にすること、これら複数本の長物飾体主体を絡ませる或いは編む等して飾部を形成すること等ができる。また、長物飾体主体の両端の着脱側ホックを外して当該長物飾体主体を取去することでズボン等服飾品、鞄袋物を長物飾体主体無しの状態にすることができる。
【００１２】
また、請求項３に係る押しホック付き長物飾体は、上記長物飾体主体の一端部に上記押しホックが止着され、同長物飾体主体の他端部には上記服飾品、鞄袋物等取付体への縫着・止金等による取付部が設けられたことを特徴とする。
【００１３】
したがって、請求項３に係る押しホック付き長物飾体は、例えばその一対を服飾品、鞄袋物等取付体に取付部を縫着・止金等により止着して対設すれば、この対設状態において一方の長物飾体主体における押しホックの雌ホックと他方の長物飾体主体における押しホックの雄ホックとを連結したり外した状態にするようにすることができるようになるから、中間で任意に切離しうる飾部を上記服飾品、鞄袋物等取付体に設けることができる。
【００１４】
また、請求項４及び５に係る服飾品及び鞄袋物は、請求項１〜３記載の押しホック付き長物飾体を備えたことを特徴とする。
【００１５】
したがって、押しホックにより容易且つ任意に着脱でき、しかも容易且つ任意に変容できる飾部をもつ服飾品及び鞄袋物を実施・提供できる。
【００１６】
また、請求項６に係る押しホック付き長物飾体は、飾チェーン・飾紐等からなる長物飾体主体と、当該長物飾体主体の端に止着された押しホックとを有し、当該押しホックを構成する雌ホックは長物飾体主体の一端に止着され、また同長物飾体主体の他端には同押しホックを構成する雄ホックが上記雌ホックに係止・離脱にしうる状態で止着されたことを特徴とする。
【００１７】
すなわち、本発明にあって上記の押しホックは、雌孔に有する銜止バネの銜え力より大きな引っ張り力を受けたときには、長物飾体主体の端に取り付けた雌・雄ホックが自動的に外れるから、上記したような大事に至るような事故を回避できる。
【発明の効果】
【００１８】
本発明に係る押しホック付き長物飾体及びこれを備えた服飾品並びに鞄袋物は、上記の通りであるので、極めて容易に且つローコストで見た目が良い完成品を構成しうる効果を有するは勿論であるが、特に本発明によれば、自由に付け替えてデザインの変化を楽しむ等の場合には着脱操作が極めて容易且つ簡単に行うことができる新規の押しホック付き長物飾体長物飾体の提供及び当該長物飾体を備えた新規の服飾品並びに鞄袋物の提供ができる。結果として上記の諸問題点が解決できる。
【発明を実施するための最良の形態】
【００１９】
図１〜図４は、第１実施の形態に係る押しホック付き長物飾体１を示すものである。なお、図１は全体を示す分解斜視図であり、図２はズボンに使用した状態を示す斜視図であり、図３はその要部の断面図であり、図４は他のいくつかの使用例を示す説明図である。
【００２０】
この第１実施の形態に係る押しホック付き長物飾体１は、長物飾体主体すなわち飾チェーン２と、当該飾チェーン２の両端に止着された押しホック３、４とを有し、当該押しホック３、４を構成する雌ホック・雄ホックのうちの一方すなわち雄ホックは上記飾チェーン２に着脱不能に止着されて着脱側ホック３a、４aとして機能するようにされ、また他方すなわち雌ホックはこれに上記着脱側ホック３a、４aを係止状態・離脱状態にしうる状態でズボン５のウエスト個所に止着され、受け側ホック３b、４bとして機能するようにされたものである。上記の長物飾体主体すなわち飾チェーン２は、長さ、太さまたは形が異なる複数本とすることは任意であり、また着脱側ホック３a、４aは、飾チェーン２の端寄りの個所に止着して当該個所から端に至る部分を垂下させうる状態すなわち揺動する飾り部とすることも可能である。
【００２１】
なお、図１〜図３に示すように、着脱側ホック３a、４aは、その背面に連結環６が固定され、この連結環６に上記飾チェーン２の両端が連結された構成にしてある。また、受け側ホック３b、４bは、カシメ脚７をもつ止金８を用いてズボン５に取り付けてある。
【００２２】
また、図４は、上記第１実施の形態に係る押しホック付き長物飾体１の他のいくつかの使用例を示すものであって、当該第１実施の形態に係る長物飾体１を上着本体９に取り付けて上着１０として提供しうるようにされるものである。なお、同図中矢印で示すように、第１実施の形態に係る押しホック付き長物飾体１の取付は、ウエスト前、胸前、ホケット、袖口等にたるみ状態または略直線状態にして実施される。この場合、必要から、一部分を身頃や襟等の裏側に隠し着けて飽く迄も美観を優先させることが望ましい。
【００２３】
図５の（a）（b）（c）は、互いに異なるパターンで実施されているものを示しているものである。具体的にこれらは、各図から解るように、押しホック３、４を構成する雌ホック・雄ホックが適宜、着脱側ホックまたは受け側ホックにされている点が、上記第１実施の形態に係る押しホック付き長物飾体１と異なるものである。この図５（a）（b）（c）に示す実施例と上記第１実施の形態に係る長物飾体１とは、基本的には同様の構成であるので、同じ部位には同一の符号を付けてその説明は省略する。
【００２４】
図６に示す第２実施の形態に係る押しホック付き長物飾体１１は、ベルト本体１２に取り付けられ、服飾ベルト１３として提供するようにされたものである。なお、この第２実施の形態に係る長物飾体１１の構成は、上記第１実施の形態に係る長物飾体１と同様であるので、同じ部位に同一の符号を付けてその説明は省略する。
【００２５】
図７及び図８に示す第３実施の形態に係る押しホック付き長物飾体２１は、芯入り組紐製の飾紐を以て飾部２２、２３が両端個所に造形された左右一対からなる長物飾体主体２４、２５を構成し、一方の長物飾体主体２４の先端と他方の長物飾体主体２５の先端には押しホック２６を構成する雌ホック２６a、雄ホック２６bが必要に応じて着脱しうるようにして止着され、また同長物飾体主体２４、２５の基端の飾部２２が取付部２８a、２８bとされて上着２７の胸前に縫い付けられた、片側固定式方式にしたものである。すなわち雌ホック２６a、雄ホック２６bを連結して胸前を閉じ状態にしたり外して開け状態にしたりしうるようにされたものである。なお、雌ホック２６a、雄ホック２６bは、飾りカバー２９付け、これにより装飾性を高めてあるが、付けないで実施することができる。
【００２６】
図９に示す第４実施の形態に係る押しホック付き長物飾体３１は、左右一対からなる短いチェーン状の長物飾体主体３２、３３を構成し、一方の長物飾体主体３２の先端と他方の長物飾体主体３３の先端には押しホック３４を構成する雌ホック３４a、雄ホック３４bが必要に応じて着脱しうるようにして止着され、また同長物飾体主体３２、３３にはその基端に装飾取付金具３５a、３５bを連結されている。そして、これら装飾取付金具３５a、３５bは、例えば図８に示す上記第３実施の形態に係る長物飾体２１に替えて上着２７の胸前に縫付片（図示せず）を介して縫い付けられて用いられるものである。すなわち雌ホック３４a、雄ホック３４bを連結して胸前を閉じ状態にしたり外して開け状態にしたりしうるようにされたものである。
【００２７】
本発明は、押しホックが長物飾体主体の両端部に止着された構成であるので、長物飾体主体をネックレス主体、ブレスレット主体あるいはストラップ主体とすれば、両端を押しホックで連結状態及び切離状態にしうるネックレス、ブレスレット、ストラップ（請求項６対応）が提供できる。すなわち本発明によれば上記大事に至る危惧がない安全性の高い製品を提供できる。
【図面の簡単な説明】
【００２８】
【図１】第１実施の形態を示す全体の分解斜視図である。
【図２】その使用の状態を示す斜視図である。
【図３】その要部の断面図である。
【図４】他の使用例を示す説明図である。
【図５】異なるパターンによる実施の形態を示す要部の断面図である。
【図６】第２実施の形態を示す全体の斜視図である。
【図７】第３実施の形態を示す全体の分解斜視図である。
【図８】その使用の状態を示す斜視図である。
【図９】第４実施の形態を示す全体の斜視図である。
【符号の説明】
【００２９】
１  第１実施の形態に係る長物飾体
２  飾チェーン
３、４  押しホック
３a、３b  着脱側ホック
４a、４b  受け側ホック
５  ズボン
６  連結環
７  カシメ脚
８  止金
９  上着本体
１０  上着
１１  第２実施の形態に係る長物飾体
１２  ベルト本体
１３  服飾ベルト
２１  第３実施の形態に係る長物飾体
２２、２３  飾部
２４、２５  長物飾体主体
２６  押しホック
２６a  雌ホック
２６b  雄ホック
２７  上着
２８a、２８b  取付部
３１  第４実施の形態に係る長物飾体
３２、３３  長物飾体主体
３４  押しホック
３４a  雌ホック
３４b  雄ホック
３５a、３５b  装飾取付金具
【図１】
2008119063.tif 000003
【図２】
2008119063.tif 000004
【図３】
2008119063.tif 000005
【図４】
2008119063.tif 000006
【図５】
2008119063.tif 000007
【図６】
2008119063.tif 000008
【図７】
2008119063.tif 000009
【図８】
2008119063.tif 000010
【図９】
2008119063.tif 000011